【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
酸素濃縮器のコントローラを用いて酸素富化ガス放出を制御する方法であって、
ユーザのサイズパラメータに基づいて該ユーザの最小吸気流れプロファイルを生成することと、
前記生成された最小吸気流れプロファイルに基づいて、酸素富化ガスのボーラスを特徴付ける１つ以上の制御パラメータを決定することと、
前記決定された１つ以上の制御パラメータに従って酸素富化ガスのボーラス放出を制御するためのボーラス放出制御信号を前記コントローラにより生成することと
を含む方法。
【請求項２】
前記最小吸気流れプロファイルに基づいて前記ユーザの肺胞時間を計算することをさらに含み、前記１つ以上の制御パラメータは、前記計算された肺胞時間にさらに基づく、請求項１に記載の方法。
【請求項３】
前記１つ以上の制御パラメータに対する送達エンベロープを前記最小吸気流れプロファイルから導出することと、前記１つ以上の制御パラメータを前記送達エンベロープ内に限定することとをさらに含む、請求項１に記載の方法。
【請求項４】
前記最小吸気流れプロファイルに基づいて前記ユーザの肺胞時間を計算することをさらに含み、前記送達エンベロープは、前記計算された肺胞時間にさらに基づく、請求項３に記載の方法。
【請求項５】
前記ユーザの前記サイズパラメータは身長であり、前記身長から前記ユーザの解剖学的死腔を推定することをさらに含み、前記肺胞時間は、前記推定された解剖学的死腔に基づく、請求項２および４のいずれか一項に記載の方法。
【請求項６】
前記酸素濃縮器または前記ユーザの特性を示す１つ以上のセンサ信号を生成することをさらに含む、請求項１〜５のいずれか一項に記載の方法。
【請求項７】
前記１つ以上のセンサ信号から前記ユーザの吸気時間を推定することをさらに含む、請求項６に記載の方法。
【請求項８】
前記最小吸気流れプロファイルは、前記推定された吸気時間にさらに基づく、請求項７に記載の方法。
【請求項９】
前記酸素濃縮器の設定に基づいて前記ボーラスの量を決定することをさらに含み、前記１つ以上の制御パラメータは、前記決定されたボーラス量にさらに基づく、請求項１〜８のいずれか一項に記載の方法。
【請求項１０】
前記ボーラスの量を決定することは、前記ユーザの呼吸速度にさらに基づく、請求項９に記載の方法。
【請求項１１】
前記酸素濃縮器または前記ユーザの特性を示す１つ以上のセンサ信号から前記ユーザの前記呼吸速度を推定することをさらに含む、請求項１０に記載の方法。
【請求項１２】
前記１つ以上の制御パラメータを決定することは、
前記最小吸気流れプロファイルの吸気時間未満の開始遅延を設定することと、
前記開始遅延とボーラス継続期間との間の前記最小吸気流れプロファイルに対応するように、ボーラス振幅プロファイルを設定することと、
前記ボーラス振幅プロファイルおよび前記決定されたボーラス量に基づいて、前記ボーラス継続期間を演算することと
を含む、請求項９〜１１のいずれか一項に記載の方法。
【請求項１３】
前記１つ以上の制御パラメータを決定することは、
前記最小吸気流れプロファイルの吸気時間未満の開始遅延を設定することと、
前記開始遅延からボーラス継続期間にわたる範囲における前記開始遅延において、ボーラス振幅プロファイルを前記最小吸気流れプロファイルの値に等しく設定することと、
前記ボーラス振幅プロファイルおよび前記決定されたボーラス量に基づいて、前記ボーラス継続期間を演算することと
を含む、請求項９〜１１のいずれか一項に記載の方法。
【請求項１４】
前記最小吸気流れプロファイルに基づいて前記ユーザの肺胞時間を計算することをさらに含み、前記開始遅延は、前記計算された肺胞時間未満である、請求項１２〜１３のいずれか一項に記載の方法。
【請求項１５】
前記サイズパラメータは前記ユーザの身長であり、前記ユーザの前記身長から前記ユーザの解剖学的死腔を推定することをさらに含み、前記計算された肺胞時間は、前記推定された解剖学的死腔にさらに基づく、請求項１４に記載の方法。
【請求項１６】
前記１つ以上の制御パラメータを決定することは、
前記最小吸気流れプロファイルの吸気時間未満のボーラス継続期間を設定することと、
開始遅延と前記ボーラス継続期間との間の前記最小吸気流れプロファイルに追随するようにボーラス振幅プロファイルを設定することと、
前記ボーラス振幅プロファイルおよび前記決定されたボーラス量に基づいて、前記開始遅延を演算することと
を含む、請求項９〜１１のいずれか一項に記載の方法。
【請求項１７】
前記１つ以上の制御パラメータを決定することは、
前記最小吸気流れプロファイルの吸気時間未満のボーラス継続期間を設定することと、
前記開始遅延から前記ボーラス継続期間にわたる範囲における開始遅延において、ボーラス振幅プロファイルを前記最小吸気流れプロファイルの値に等しく設定することと、
前記ボーラス振幅プロファイルおよび前記決定されたボーラス量に基づいて、前記開始遅延を演算することと
を含む、請求項９〜１１のいずれか一項に記載の方法。
【請求項１８】
前記最小吸気流れプロファイルに基づいて前記ユーザの肺胞時間を計算することをさらに含み、前記ボーラス継続期間は、前記肺胞時間未満である、請求項１６〜１７のいずれか一項に記載の方法。
【請求項１９】
前記サイズパラメータは、前記ユーザの身長であり、前記ユーザの前記身長から前記ユーザの解剖学的死腔を推定することをさらに含み、前記肺胞時間は、前記解剖学的死腔にさらに基づく、請求項１８の方法。
【請求項２０】
前記ボーラス放出制御信号に従って送達されるボーラスの有益作用を推定することと、
前記最小吸気流れプロファイルおよび前記推定された有益作用に基づいて、酸素富化ガスの追加ボーラスを特徴付ける１つ以上のさらなる制御パラメータを決定することと、
前記決定された１つ以上のさらなる制御パラメータに従って、さらなるボーラス放出制御信号を前記コントローラにより生成することと
をさらに含む、請求項１〜１９のいずれか一項に記載の方法。
【請求項２１】
前記酸素濃縮器の入力インターフェースからのブースト信号を前記コントローラ内において受信することと、これに応答して、１つ以上のブーストボーラスの放出を前記酸素濃縮器の前記コントローラにより制御することとをさらに含み、前記１つ以上のブーストボーラスの放出ボーラスの酸素富化ガスの合計量は、（１）前記入力インターフェースにおいて設定されたような前記酸素濃縮器の連続流量設定を満たす相当量に（２）酸素富化ガスの追加量を加算したものを含む、
請求項１〜２０のいずれか一項に記載の方法。
【請求項２２】
前記コントローラは、所定の時間の後にまたは前記酸素濃縮器の前記入力インターフェースからのさらなる信号に応答して、前記酸素富化ガスの追加量の放出を中止する、請求項２１に記載の方法。
【請求項２３】
前記１つ以上の制御パラメータを決定することは、逆行性流れの無駄、解剖学的死腔の無駄および生理学的死腔の無駄のうち１つ以上を低減させるように、前記制御パラメータを計算することを含む、請求項１〜２２のいずれか一項に記載の方法。
【請求項２４】
送達デバイスを介した前記ユーザへの送達のための前記ボーラス放出制御信号に従って酸素富化ガスのボーラスを放出させることをさらに含み、これにより、前記送達されたボーラスにより、逆行性流れの無駄、解剖学的死腔の無駄および生理学的死腔の無駄のうち１つ以上が低減される、請求項１〜２３のいずれか一項に記載の方法。
【請求項２５】
少なくとも２つのキャニスタと、
前記少なくとも２つのキャニスタ内に配置されたガス分離吸着剤であって、前記少なくとも２つのキャニスタ中の空気から少なくとも一定の窒素を分離し、酸素富化ガスを生成するガス分離吸着剤と、
前記キャニスタのうち少なくとも１つへ接続されたコンプレッサであって、動作時に空気を圧縮するコンプレッサと、前記コンプレッサへ接続されたモータであって、前記コンプレッサの動作を駆動するモータとを含む圧縮システムと、
前記キャニスタのうち１つ以上へ接続されたアキュムレータであって、前記キャニスタのうち１つ以上中において生成された酸素富化ガスを、使用時に該アキュムレータ中へ送るアキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）前記生成された酸素富化ガスを前記アキュムレータから少なくとも１つのボーラスとして放出することを行うように前記１組の弁の動作を制御するように、構成される、コントローラおよび１組の弁と
を含む酸素濃縮装置であって、
前記コントローラは、ユーザの最小吸気流れプロファイルを前記ユーザのサイズパラメータに基づいて生成することと、前記少なくとも１つのボーラスを特徴付ける１つ以上の制御パラメータを前記生成された最小吸気流れプロファイルに基づいて決定することと、前記決定された１つ以上の制御パラメータに従ってボーラス放出制御信号を生成することであって、ここで、前記生成されたボーラス放出制御信号は、前記少なくとも１つのボーラスを前記アキュムレータから放出させることを行うように構成されており、ボーラス放出制御信号を生成することとを行うようにさらに構成されている、
酸素濃縮器装置。
【請求項２６】
前記コントローラへ接続されたコントロールパネルをさらに含み、前記ユーザの前記サイズパラメータを手動入力を介して受信することを行うように構成されている、請求項２５に記載の酸素濃縮器装置。
【請求項２７】
前記コントローラは、プロセッサ制御命令を有する分散媒を含み、前記プロセッサ制御命令は、前記１つ以上のプロセッサによって実行されると、前記酸素濃縮器装置が請求項１〜２４のいずれか一項に記載の方法を行う、請求項２５〜２６のいずれか一項に記載の酸素濃縮器装置。
【請求項２８】
パルス化酸素送達モードにおいて酸素濃縮器のコントローラを用いて酸素富化ガス放出を制御する方法であって、
ユーザのサイズパラメータに基づいて、酸素富化ガスの潜在的ボーラスのパラメータの送達エンベロープを導出することと、
前記１つ以上の制御パラメータが前記送達エンベロープ内に制限されるように酸素富化ガスの送達可能ボーラスを特徴付ける１つ以上の制御パラメータを決定することと、
前記決定された１つ以上の制御パラメータに従って酸素富化ガスのボーラス放出を制御するためのボーラス放出制御信号を前記コントローラにより生成することと、
を含む方法。
【請求項２９】
少なくとも２つのキャニスタと、
前記少なくとも２つのキャニスタ内に配置されたガス分離吸着剤であって、前記少なくとも２つのキャニスタ中の空気から少なくとも一定の窒素を分離して、酸素富化ガスを生成するガス分離吸着剤と、
前記キャニスタのうち少なくとも１つへ接続されたコンプレッサであって、動作時に空気を圧縮するコンプレッサと、前記コンプレッサへ接続されたモータであって、前記コンプレッサの動作を駆動するモータとを含む圧縮システムと、
前記キャニスタのうち１つ以上へ接続されたアキュムレータであって、前記キャニスタのうち１つ以上中において生成された酸素富化ガスを、使用時に該アキュムレータ中へ送るアキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）パルス化酸素送達モードにおいて、前記生成された酸素富化ガスを前記アキュムレータから少なくとも１つのボーラスとして放出することを行うように前記１組の弁の動作を制御するように構成されている、コントローラーおよび１組の弁と、ここで、前記コントローラは、酸素富化ガスの潜在的ボーラスのパラメータの送達エンベロープをユーザのサイズパラメータに基づいて導出することと、前記１つ以上のパラメータが前記送達エンベロープ内に限定されるように、酸素富化ガスの送達可能ボーラスを特徴付ける１つ以上の制御パラメータを決定することと、ボーラス放出制御信号を前記決定された１つ以上の制御パラメータに従って生成することと、ここで、前記ボーラス放出制御信号は、前記アキュムレータからの酸素富化ガスのボーラス放出が制御するものである、  を行うようにさらに構成されている、
を含む酸素濃縮器装置。
【請求項３０】
少なくとも２つのキャニスタと、
前記少なくとも２つのキャニスタ内に配置されたガス分離吸着剤であって、前記少なくとも２つのキャニスタ中の空気から少なくとも一定の窒素を分離して、酸素富化ガスを生成するガス分離吸着剤と、
前記キャニスタのうち少なくとも１つへ接続されたコンプレッサであって、動作時に空気を圧縮するコンプレッサと、前記コンプレッサへ接続されたモータであって、前記コンプレッサの動作を駆動するモータとを含む圧縮システムと、
前記キャニスタのうち１つ以上へ接続されたアキュムレータであって、前記キャニスタのうち１つ以上中において生成された酸素富化ガスを、使用時に該アキュムレータ中へ送るアキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）前記生成された酸素富化ガスを前記アキュムレータから放出することを行うように前記１組の弁の動作を制御するように構成されている、コントローラおよび１組の弁と、ここで、前記コントローラは、前記ユーザのサイズパラメータおよび前記ユーザの呼吸速度に基づいてユーザの一回換気量を推定することと、前記ユーザの吸気流れプロファイルを前記ユーザの前記一回換気量および吸気時間から生成することとを行うようにさらに構成されている、
を含む酸素濃縮器装置。
【請求項３１】
呼吸治療装置であって、
前記呼吸治療装置の１つ以上の動作を制御して、呼吸治療を生成するように構成される、１つ以上のプロセッサを含むコントローラを含み、前記コントローラは、ユーザの安静時エネルギー消費を前記ユーザのサイズパラメータに基づいて推定することと、前記ユーザの呼吸パラメータを前記推定された安静時エネルギー消費に基づいて推定することと、  前記呼吸治療装置の作動を前記推定された呼吸パラメータに基づいて制御することとを行うように構成されている、
呼吸治療装置。
【手続補正２】
【補正対象書類名】明細書
【補正対象項目名】０１８１
【補正方法】変更
【補正の内容】
【０１８１】
いくつかの場合において、用語および記号は、本技術の実施に不要な特定の詳細を示し得る。例えば、「第１の（第１の）」および「第２の（第２の）」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその様態を同時にまたはさらに同期的に行うことが可能であることを認識する。
なお、本願の出願当初の開示事項を維持するために、本願の出願当初の請求項１〜７６の記載内容を以下に追加する。
（請求項１）
酸素濃縮器のコントローラを用いて酸素富化ガス放出を制御する方法であって、
前記ユーザのサイズパラメータに基づいてユーザの最小吸気流れプロファイルを生成することと、
前記生成された最小吸気流れプロファイルに基づいて、酸素富化ガスのボーラスを特徴付ける１つ以上の制御パラメータを決定することと、
前記決定された１つ以上の制御パラメータに従って酸素富化ガスのボーラス放出を制御するためのボーラス放出制御信号を前記コントローラにより生成することと、
を含む、方法。
（請求項２）
前記最小吸気流れプロファイルに基づいて前記ユーザの肺胞時間を計算することをさらに含み、前記１つ以上の制御パラメータは、前記計算された肺胞時間にさらに基づく、請求項１に記載の方法。
（請求項３）
前記１つ以上の制御パラメータに対する送達エンベロープを前記最小吸気流れプロファイルから導出することと、前記１つ以上の制御パラメータを前記送達エンベロープ内に限定することとをさらに含む、請求項１に記載の方法。
（請求項４）
前記最小吸気流れプロファイルに基づいて前記ユーザの肺胞時間を計算することをさらに含み、前記送達エンベロープは、前記計算された肺胞時間にさらに基づく、請求項３に記載の方法。
（請求項５）
前記ユーザの前記サイズパラメータは身長であり、前記身長から前記ユーザの解剖学的死腔を推定することをさらに含み、前記肺胞時間は、前記推定された解剖学的死腔に基づく、請求項２および４のいずれか一項に記載の方法。
（請求項６）
前記酸素濃縮器または前記ユーザの特性を示す１つ以上のセンサ信号を生成することをさらに含む、請求項１〜５のいずれか一項に記載の方法。
（請求項７）
前記１つ以上のセンサ信号から前記ユーザの吸気時間を推定することをさらに含む、請求項６に記載の方法。
（請求項８）
前記最小吸気流れプロファイルは、前記推定された吸気時間にさらに基づく、請求項７に記載の方法。
（請求項９）
前記酸素濃縮器の設定に基づいて前記ボーラスの量を決定することをさらに含み、前記１つ以上の制御パラメータは、前記決定されたボーラス量にさらに基づく、請求項１〜８のいずれか一項に記載の方法。
（請求項１０）
前記ボーラスの量を決定することは、前記ユーザの呼吸速度にさらに基づく、請求項９に記載の方法。
（請求項１１）
前記酸素濃縮器または前記ユーザの特性を示す１つ以上のセンサ信号から前記ユーザの前記呼吸速度を推定することをさらに含む、請求項１０に記載の方法。
（請求項１２）
前記１つ以上の制御パラメータを決定することは、
前記最小吸気流れプロファイルの吸気時間未満の開始遅延を設定することと、
前記開始遅延とボーラス継続期間との間の前記最小吸気流れプロファイルに対応するように、ボーラス振幅プロファイルを設定することと、
前記ボーラス振幅プロファイルおよび前記決定されたボーラス量に基づいて、前記ボーラス継続期間を演算することと、
を含む、請求項９〜１１のいずれか一項に記載の方法。
（請求項１３）
前記１つ以上の制御パラメータを決定することは、
前記最小吸気流れプロファイルの吸気時間未満の開始遅延を設定することと、
前記開始遅延からボーラス継続期間にわたる範囲における前記開始遅延において、ボーラス振幅プロファイルを前記最小吸気流れプロファイルの値に等しく設定することと、
前記ボーラス振幅プロファイルおよび前記決定されたボーラス量に基づいて、前記ボーラス継続期間を演算することと、
を含む、請求項９〜１１のいずれか一項に記載の方法。
（請求項１４）
前記最小吸気流れプロファイルに基づいて前記ユーザの肺胞時間を計算することをさらに含み、前記開始遅延は、前記計算された肺胞時間未満である、請求項１２〜１３のいずれか一項に記載の方法。
（請求項１５）
前記サイズパラメータは前記ユーザの身長であり、前記ユーザの前記身長から前記ユーザの解剖学的死腔を推定することをさらに含み、前記計算された肺胞時間は、前記推定された解剖学的死腔にさらに基づく、請求項１４に記載の方法。
（請求項１６）
前記１つ以上の制御パラメータを決定することは、
前記最小吸気流れプロファイルの吸気時間未満のボーラス継続期間を設定することと、
開始遅延と前記ボーラス継続期間との間の前記最小吸気流れプロファイルに追随するようにボーラス振幅プロファイルを設定することと、
前記ボーラス振幅プロファイルおよび前記決定されたボーラス量に基づいて、前記開始遅延を演算することと、
を含む、請求項９〜１１のいずれか一項に記載の方法。
（請求項１７）
前記１つ以上の制御パラメータを決定することは、
前記最小吸気流れプロファイルの吸気時間未満のボーラス継続期間を設定することと、
前記開始遅延から前記ボーラス継続期間にわたる範囲における開始遅延において、ボーラス振幅プロファイルを前記最小吸気流れプロファイルの値に等しく設定することと、
前記ボーラス振幅プロファイルおよび前記決定されたボーラス量に基づいて、前記開始遅延を演算することと、
を含む、請求項９〜１１のいずれか一項に記載の方法。
（請求項１８）
前記最小吸気流れプロファイルに基づいて前記ユーザの肺胞時間を計算することをさらに含み、前記ボーラス継続期間は、前記肺胞時間未満である、請求項１６〜１７のいずれか一項に記載の方法。
（請求項１９）
前記サイズパラメータは、前記ユーザの身長であり、前記ユーザの前記身長から前記ユーザの解剖学的死腔を推定することをさらに含み、前記肺胞時間は、前記解剖学的死腔にさらに基づく、請求項１８の方法。
（請求項２０）
前記ボーラス放出制御信号に従って送達されるボーラスの有益作用を推定することと、
前記最小吸気流れプロファイルおよび前記推定された有益作用に基づいて、酸素富化ガスの追加ボーラスを特徴付ける１つ以上のさらなる制御パラメータを決定することと、
前記決定された１つ以上のさらなる制御パラメータに従って、さらなるボーラス放出制御信号を前記コントローラにより生成することと、
をさらに含む、請求項１〜１９のいずれか一項に記載の方法。
（請求項２１）
前記酸素濃縮器の入力インターフェースからのブースト信号を前記コントローラ内において受信することと、これに応答して、１つ以上のブーストボーラスの放出を前記酸素濃縮器の前記コントローラにより制御することとをさらに含み、前記１つ以上のブーストボーラスの放出ボーラスの酸素富化ガスの合計量は、（１）前記入力インターフェースにおいて設定されたような前記酸素濃縮器の連続流量設定を満たす相当量に（２）酸素富化ガスの追加量を加算したものを含む、
請求項１〜２０のいずれか一項に記載の方法。
（請求項２２）
前記コントローラは、所定の時間の後にまたは前記酸素濃縮器の前記入力インターフェースからのさらなる信号に応答して、前記酸素富化ガスの追加量の放出を中止する、請求項２１に記載の方法。
（請求項２３）
前記１つ以上の制御パラメータを決定することは、逆行性流れの無駄、解剖学的死腔の無駄および生理学的死腔の無駄のうち１つ以上を低減させるように、前記制御パラメータを計算することを含む、請求項１〜２２のいずれか一項に記載の方法。
（請求項２４）
送達デバイスを介した前記ユーザへの送達のための前記ボーラス放出制御信号に従って酸素富化ガスのボーラスを放出させることをさらに含み、これにより、前記送達されたボーラスにより、逆行性流れの無駄、解剖学的死腔の無駄および生理学的死腔の無駄のうち１つ以上が低減される、請求項１〜２３のいずれか一項に記載の方法。
（請求項２５）
酸素濃縮器装置であって、
少なくとも２つのキャニスタと、
前記少なくとも２つのキャニスタ内に配置されたガス分離吸着剤であって、前記ガス分離吸着剤により、前記少なくとも２つのキャニスタ中の空気から少なくとも一定の窒素が分離されて、酸素富化ガスが生成される、ガス分離吸着剤と、
圧縮システムであって、
前記キャニスタのうち少なくとも１つへ接続されたコンプレッサであって、前記コンプレッサは、動作時に空気を圧縮させる、コンプレッサと、
前記コンプレッサへ接続されたモータであって、前記モータにより前記コンプレッサの動作が駆動される、モータとを含む、前記圧縮システムと、
前記キャニスタのうち１つ以上へ接続されたアキュムレータであって、前記キャニスタのうち１つ以上中において生成された酸素富化ガスは、使用時に前記アキュムレータ中へ送られる、アキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）前記生成された酸素富化ガスを前記アキュムレータから少なくとも１つのボーラスとして放出することを行うように前記１組の弁の動作を制御するように、構成される、
１つ以上のプロセッサを含むコントローラおよび前記コントローラへ接続された１組の弁と、
を含み、
前記コントローラは、
ユーザの最小吸気流れプロファイルを前記ユーザのサイズパラメータに基づいて生成することと、
前記少なくとも１つのボーラスを特徴付ける１つ以上の制御パラメータを前記生成された最小吸気流れプロファイルに基づいて決定することと、
ボーラス放出制御信号を前記決定された１つ以上の制御パラメータに従って生成することであって、前記生成されたボーラス放出制御信号は、前記少なくとも１つのボーラスを前記アキュムレータから放出させることを行うように構成される、ことと、
を行うようにさらに構成される、
酸素濃縮器装置。
（請求項２６）
前記コントローラへ接続されたコントロールパネルをさらに含み、前記ユーザの前記サイズパラメータを手動入力を介して受信することを行うように構成される、請求項２５に記載の酸素濃縮器装置。
（請求項２７）
前記コントローラは、プロセッサ制御命令を有する分散媒を含み、前記プロセッサ制御命令は、前記１つ以上のプロセッサによって実行されると、前記酸素濃縮器装置が請求項１〜２４のいずれか一項に記載の方法を行う、請求項２５〜２６のいずれか一項に記載の酸素濃縮器装置。
（請求項２８）
パルス化酸素送達モードにおいて酸素濃縮器のコントローラを用いて酸素富化ガス放出を制御する方法であって、
ユーザのサイズパラメータに基づいて、酸素富化ガスの潜在的ボーラスのパラメータの送達エンベロープを導出することと、
前記１つ以上の制御パラメータが前記送達エンベロープ内に制限されるように酸素富化ガスの送達可能ボーラスを特徴付ける１つ以上の制御パラメータを決定することと、
前記決定された１つ以上の制御パラメータに従って酸素富化ガスのボーラス放出を制御するためのボーラス放出制御信号を前記コントローラにより生成することと、
を含む、方法。
（請求項２９）
前記ユーザのための肺胞時間を前記サイズパラメータに基づいて計算することをさらに含み、前記送達エンベロープを導出することは、前記計算された肺胞時間にさらに基づく、請求項２８に記載の方法。
（請求項３０）
前記ユーザのための最小吸気流れプロファイルを前記サイズパラメータに基づいて生成することをさらに含み、前記送達エンベロープを導出することは、前記最小吸気流れプロファイルに基づく、請求項２９に記載の方法。
（請求項３１）
前記計算された肺胞時間は、前記最小吸気流れプロファイルにさらに基づく、請求項３０に記載の方法。
（請求項３２）
前記ユーザの前記サイズパラメータは身長であり、前記方法は、前記身長から前記ユーザの解剖学的死腔を推定することをさらに含み、前記計算された肺胞時間は、前記推定された解剖学的死腔にさらに基づく、請求項２９に記載の方法。
（請求項３３）
前記酸素濃縮器または前記ユーザの特性を示す１つ以上のセンサ信号を生成することをさらに含む、請求項２８〜３２のいずれか一項に記載の方法。
（請求項３４）
前記１つ以上のセンサ信号から前記ユーザの吸気時間を推定することをさらに含む、請求項３３に記載の方法。
（請求項３５）
前記導出された送達エンベロープは、前記推定された吸気時間にさらに基づく、請求項３４に記載の方法。
（請求項３６）
前記潜在的ボーラスの量を前記酸素濃縮器の設定に基づいて決定することをさらに含み、前記１つ以上の制御パラメータは、前記決定されたボーラス量にさらに基づく、請求項２８〜３５のいずれか一項に記載の方法。
（請求項３７）
前記ボーラス量を決定することは、前記ユーザの呼吸速度にさらに基づく、請求項３６に記載の方法。
（請求項３８）
前記酸素濃縮器または前記ユーザの特性を示す１つ以上のセンサ信号から前記ユーザの前記呼吸速度を推定することをさらに含む、請求項３７に記載の方法。
（請求項３９）
前記ボーラス放出制御信号に従って送達されるボーラスの有益作用を推定することと、
酸素富化ガスの追加ボーラスを特徴付ける１つ以上のさらなる制御パラメータを前記推定された有益作用に基づいて決定することであって、前記決定された１つ以上のさらなる制御パラメータは、前記送達エンベロープ内に制限される、ことと、
前記決定されたさらなる制御パラメータに従って、さらなるボーラス放出制御信号を前記コントローラにより生成することと、
をさらに含む、請求項２８〜３８のいずれか一項に記載の方法。
（請求項４０）
前記酸素濃縮器の入力インターフェースからのブースト信号を前記コントローラ内において受信することと、これに応答して、１つ以上のブーストボーラスの放出を前記酸素濃縮器の前記コントローラにより制御することとをさらに含み、前記１つ以上のブーストボーラスの放出されたブーストボーラス酸素富化ガスの合計量は、（１）前記入力インターフェースにおいて設定されたような前記酸素濃縮器の連続流量設定を満たす相当量に（２）酸素富化ガスの追加量を加算したものを含む、
請求項２８〜３９のいずれか一項に記載の方法。
（請求項４１）
前記コントローラは、所定の時間の後にまたは前記酸素濃縮器の前記入力インターフェースからのさらなる信号に応答して、前記酸素富化ガスの追加量の放出を中止する、請求項４０に記載の方法。
（請求項４２）
前記１つ以上の制御パラメータを決定することは、逆行性流れの無駄、解剖学的死腔の無駄および生理学的死腔の無駄のうち１つ以上を低減させるように、前記制御パラメータを計算することを含む、請求項２８〜４１のいずれか一項に記載の方法。
（請求項４３）
送達デバイスを介した前記ユーザへの送達のための前記ボーラス放出制御信号に従って酸素富化ガスのボーラスを放出させることをさらに含み、これにより、前記送達されたボーラスにより、逆行性流れの無駄、解剖学的死腔の無駄および生理学的死腔の無駄のうち１つ以上が低減される、請求項２８〜４２のいずれか一項に記載の方法。
（請求項４４）
酸素濃縮器装置であって、
少なくとも２つのキャニスタと、
前記少なくとも２つのキャニスタ内に配置されたガス分離吸着剤であって、前記ガス分離吸着剤により、前記少なくとも２つのキャニスタ中の空気から少なくとも一定の窒素が分離されて、酸素富化ガスが生成される、ガス分離吸着剤と、
圧縮システムであって、
前記キャニスタのうち少なくとも１つへ接続されたコンプレッサであって、前記コンプレッサは、動作時に空気を圧縮させる、コンプレッサと、
前記コンプレッサへ接続されたモータであって、前記モータにより前記コンプレッサの動作が駆動される、モータとを含む、前記圧縮システムと、
前記キャニスタのうち１つ以上へ接続されたアキュムレータであって、前記キャニスタのうち１つ以上中において生成された酸素富化ガスは、使用時に前記アキュムレータ中へ送られる、アキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）パルス化酸素送達モードにおいて前記生成された酸素富化ガスを前記アキュムレータから少なくとも１つのボーラスとして放出することを行うように前記１組の弁の動作を制御するように、構成される、
１つ以上のプロセッサを含むコントローラおよび前記コントローラへ接続された１組の弁と、
を含み、
前記コントローラは、
酸素富化ガスの潜在的ボーラスのパラメータの送達エンベロープをユーザのサイズパラメータに基づいて導出することと、
前記１つ以上のパラメータが前記送達エンベロープ内に限定されるように、酸素富化ガスの送達可能ボーラスを特徴付ける１つ以上の制御パラメータを決定することと、
ボーラス放出制御信号を前記決定された１つ以上の制御パラメータに従って生成することであって、前記ボーラス放出制御信号により、前記アキュムレータからの酸素富化ガスのボーラス放出が制御される、ことと、
を行うようにさらに構成される、
酸素濃縮器装置。
（請求項４５）
前記コントローラへ接続されたコントロールパネルをさらに含み、前記ユーザの前記サイズパラメータを手動入力を介して受信することを行うように構成される、請求項４４に記載の酸素濃縮器装置。
（請求項４６）
前記コントローラは、プロセッサ制御命令を有する分散媒を含み、前記プロセッサ制御命令は、前記１つ以上のプロセッサによって実行されると、前記酸素濃縮器装置は、請求項２８〜４３のいずれか一項に記載の方法を行う、請求項４４〜４５のいずれか一項に記載の酸素濃縮器装置。
（請求項４７）
ユーザに対する吸気流れプロファイル生成のためのプロセッサの方法であって、前記方法は、
前記ユーザのサイズパラメータおよび前記ユーザの呼吸速度に基づいて前記ユーザの一回換気量を推定することと、
前記ユーザの前記一回換気量および吸気時間から前記ユーザのための前記吸気流れプロファイルを生成することと、
を含む、方法。
（請求項４８）
前記サイズパラメータは身長であり、前記一回換気量を推定することは、前記ユーザの肺胞毎分換気量を前記ユーザの身長に基づいて推定することを含む、請求項４７に記載の方法。
（請求項４９）
前記一回換気量を推定することは、前記ユーザの解剖学的死腔を前記ユーザの身長に基づいて推定することをさらに含む、請求項４８に記載の方法。
（請求項５０）
前記一回換気量を推定することは、前記肺胞毎分換気量の前記ユーザの前記呼吸速度に対する比前記解剖学的死腔を加算することを含む、請求項４９に記載の方法。
（請求項５１）
前記吸気流れプロファイルを生成することは、前記ユーザの前記一回換気量、前記吸気時間および前記吸気流れプロファイルのテンプレート関数から前記ユーザのピーク吸気流量を計算することを含む、請求項４７〜５１のいずれか一項に記載の方法。
（請求項５２）
前記テンプレート関数は正弦半波である、請求項５１に記載の方法。
（請求項５３）
前記吸気時間を前記サイズパラメータから推定することをさらに含む、請求項４７〜５２のいずれか一項に記載の方法。
（請求項５４）
呼吸治療デバイスのコントローラを用いて呼吸治療の制御を前記生成された吸気流れプロファイルに基づいて行うことをさらに含む、請求項４７〜５３のいずれか一項に記載の方法。
（請求項５５）
前記呼吸治療を制御することは、前記吸気流れプロファイルに基づいて酸素濃縮器を制御することを含む、請求項５４に記載の方法。
（請求項５６）
酸素濃縮器装置であって、
少なくとも２つのキャニスタと、
前記少なくとも２つのキャニスタ内に配置されたガス分離吸着剤であって、前記ガス分離吸着剤により、前記少なくとも２つのキャニスタ中の空気から少なくとも一定の窒素が分離されて、酸素富化ガスが生成される、ガス分離吸着剤と、
圧縮システムであって、
前記キャニスタのうち少なくとも１つへ接続されたコンプレッサであって、前記コンプレッサは、動作時に空気を圧縮させる、コンプレッサと、
前記コンプレッサへ接続されたモータであって、前記モータにより前記コンプレッサの動作が駆動される、モータとを含む、前記圧縮システムと、
前記キャニスタのうち１つ以上へ接続されたアキュムレータであって、前記キャニスタのうち１つ以上中において生成された酸素富化ガスは、使用時に前記アキュムレータ中へ送られる、アキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）前記生成された酸素富化ガスを前記アキュムレータから放出することを行うように前記１組の弁の動作を制御するように、構成される、
１つ以上のプロセッサを含むコントローラおよび前記コントローラへ接続された１組の弁と、
を含み、
前記コントローラは、
前記ユーザのサイズパラメータおよび前記ユーザの呼吸速度に基づいてユーザの一回換気量を推定することと、
前記ユーザの吸気流れプロファイルを前記ユーザの前記一回換気量および吸気時間から生成することと、
を行うようにさらに構成される、酸素濃縮器装置。
（請求項５７）
前記コントローラは、プロセッサ制御命令を有する分散媒を含み、前記プロセッサ制御命令は、前記１つ以上のプロセッサによって実行されると、前記酸素濃縮器装置は、請求項４７〜５５のいずれか一項に記載の方法を行う、請求項５６に記載の酸素濃縮器装置。
（請求項５８）
呼吸治療デバイスの制御のためのコントローラの方法であって、前記方法は、
ユーザの安静時エネルギー消費を前記ユーザのサイズパラメータに基づいて推定することと、
前記ユーザの呼吸パラメータを前記推定された安静時エネルギー消費に基づいて推定することと、
前記呼吸治療デバイスの制御を前記推定された呼吸パラメータに基づいて行うことと、
を含む、方法。
（請求項５９）
前記呼吸パラメータは一回換気量であり、前記呼吸パラメータを推定することは、
肺胞毎分換気量の演算を前記推定された安静時エネルギー消費に基づいて行うことと、
前記演算された肺胞毎分換気量および前記ユーザの呼吸速度に基づいて一回換気量を推定することと、
を含む、
請求項５８に記載の方法。
（請求項６０）
前記前記一回換気量を推定することにより、前記ユーザの活動状態が説明され、これにより、前記一回換気量の最小のまたは高めの推定値が得られる、請求項５９に記載の方法。
（請求項６１）
前記呼吸治療デバイスは人工呼吸器であり、前記推定された一回換気量は、最小の一回換気量推定値であり、前記呼吸治療デバイスを制御することは、前記最小の一回換気量推定値に基づいて一回換気量低下の警告を初期化することを含む、請求項６０に記載の方法。
（請求項６２）
前記呼吸治療デバイスは人工呼吸器であり、前記推定された一回換気量は、高めの一回換気量推定値であり、前記呼吸治療デバイスを制御することは、前記高めの一回換気量推定値に基づいて一回換気量上昇の警告を初期化することを含む、請求項６０に記載の方法。
（請求項６３）
前記呼吸治療デバイスは人工呼吸器であり、前記推定された一回換気量は、最小の一回換気量推定値であり、前記呼吸治療デバイスを制御することは、前記最小の一回換気量推定値に基づいて量制御モード用の一回換気量を初期化することを含む、請求項６０に記載の方法。
（請求項６４）
前記前記一回換気量を推定することにより、前記ユーザの病理状態が説明され、これにより、前記病理状態の前記一回換気量の典型的推定値が得られる、請求項５９に記載の方法。
（請求項６５）
前記呼吸治療デバイスは人工呼吸器であり、前記推定された一回換気量は、前記病理状態に対する典型的な一回換気量推定値であり、前記呼吸治療デバイスを制御することは、量保証モードの目標一回換気量設定を前記典型的な一回換気量推定値を用いて初期化することを含む、請求項６４に記載の方法。
（請求項６６）
前記呼吸パラメータは毎分換気量であり、前記最小呼吸パラメータを推定することは、
肺胞毎分換気量の演算を前記安静時エネルギー消費に基づいて行うことと、
前記演算された肺胞毎分換気量および前記サイズパラメータから得られた前記ユーザの解剖学的死腔の推定値に基づいて、毎分換気量を推定することと、
を含む、
請求項５８に記載の方法。
（請求項６７）
前記毎分換気量を推定することにより、前記ユーザの活動状態が説明され、これにより、前記毎分換気量の最小のまたは高めの推定値が得られる、請求項６６に記載の方法。
（請求項６８）
前記呼吸治療デバイスは人工呼吸器であり、前記推定された毎分換気量は、最小毎分換気量の推定値であり、前記呼吸治療デバイスを制御することは、毎分換気量低下の警告を前記最小毎分換気量の推定値に基づいて初期化することを含む、請求項６７に記載の方法。
（請求項６９）
前記呼吸治療デバイスは人工呼吸器であり、前記推定された毎分換気量は、高めの毎分換気量推定値であり、前記呼吸治療デバイスを制御することは、毎分換気量上昇の警告を前記高めの毎分換気量推定値に基づいて初期化することを含む、請求項６７に記載の方法。
（請求項７０）
前記呼吸治療デバイスは酸素濃縮器であり、前記呼吸治療デバイスを制御することは、
前記ユーザのための最小吸気流れプロファイルを前記推定された呼吸パラメータから生成することと、
前記生成された最小吸気流れプロファイルに基づいて、前記酸素濃縮器によって生成された酸素富化ガスのボーラスについて１つ以上の制御パラメータを決定することと、
前記決定された１つ以上の制御パラメータに従って、酸素富化ガスのボーラス放出を制御するためのボーラス放出制御信号を生成することと、
を含む、
請求項５８に記載の方法。
（請求項７１）
呼吸治療装置であって、
前記呼吸治療装置の１つ以上の動作を制御して、呼吸治療を生成するように構成される、１つ以上のプロセッサを含むコントローラを含み、前記コントローラは、
ユーザの安静時エネルギー消費を前記ユーザのサイズパラメータに基づいて推定することと、
前記ユーザの呼吸パラメータを前記推定された安静時エネルギー消費に基づいて推定することと、
前記呼吸治療装置の作動を前記推定された呼吸パラメータに基づいて制御することと、
を行うように構成される、
呼吸治療装置。
（請求項７２）
前記コントローラは、プロセッサ制御命令を有する分散媒を含み、前記プロセッサ制御命令が前記１つ以上のプロセッサによって実行されると、前記呼吸治療装置は、請求項５８〜７０のいずれか一項に記載の方法を行う、請求項７１に記載の呼吸治療装置。
（請求項７３）
パルス化酸素送達モードにおいて酸素濃縮器のコントローラを用いて酸素富化ガス放出を制御する方法であって、
酸素富化ガスの送達可能ボーラスを特徴付ける１つ以上の制御パラメータを決定することと、
前記決定された１つ以上の制御パラメータに従って酸素富化ガスのボーラス放出を制御するためのボーラス放出制御信号を前記コントローラにより生成することと、
前記酸素濃縮器の入力インターフェースからのブースト信号を前記コントローラ内において受信することと、
前記ブースト信号に応答して、１つ以上のブーストボーラスの放出の制御のための１つ以上のさらなるボーラス放出制御信号を制御することとを含み、前記１つ以上のブーストボーラスの放出ボーラスの酸素富化ガスの合計量は、（１）前記入力インターフェースにおいて設定されたような前記酸素濃縮器の連続流量設定を満たす相当量に（２）酸素富化ガスの追加量を加算したものを含む、
方法。
（請求項７４）
所定の時間の後にまたは前記酸素濃縮器の前記入力インターフェースからのさらなる信号を前記コントローラ内において受信したのに応答して、前記酸素富化ガスの追加量の放出を前記コントローラによって中止することをさらに含む、
請求項７３に記載の方法。
（請求項７５）
酸素濃縮器装置であって、
少なくとも２つのキャニスタと、
前記少なくとも２つのキャニスタ内に配置されたガス分離吸着剤であって、前記ガス分離吸着剤により、前記少なくとも２つのキャニスタ中の空気から少なくとも一定の窒素が分離されて、酸素富化ガスが生成される、ガス分離吸着剤と、
圧縮システムであって、
前記キャニスタのうち少なくとも１つへ接続されたコンプレッサであって、前記コンプレッサは、動作時に空気を圧縮させる、コンプレッサと、
前記コンプレッサへ接続されたモータであって、前記モータにより前記コンプレッサの動作が駆動される、モータとを含む、前記圧縮システムと、
前記キャニスタのうち１つ以上へ接続されたアキュムレータであって、前記キャニスタのうち１つ以上中において生成された酸素富化ガスは、使用時に前記アキュムレータ中へ送られる、アキュムレータと、
１つ以上のプロセッサを含むコントローラおよび前記コントローラへ接続された１組の弁であって、前記コントローラは、（ａ）酸素富化ガスを前記アキュムレータ中に生成することおよび（ｂ）前記生成された酸素富化ガスを前記アキュムレータから放出することを行うように前記１組の弁の動作を制御するように、構成される、
１つ以上のプロセッサを含むコントローラおよび前記コントローラへ接続された１組の弁と、
を含み、
前記コントローラは、
酸素富化ガスの送達可能ボーラスを特徴付ける１つ以上の制御パラメータを決定することと、
前記決定された１つ以上の制御パラメータに従って、酸素富化ガスのボーラス放出を制御するためのボーラス放出制御信号を生成することと、
前記酸素濃縮器の入力インターフェース装置からブースト信号を受信することと、
前記ブースト信号に応答して、１つ以上のブーストボーラスの放出の制御のための１つ以上のさらなるボーラス放出制御信号を制御することと
を行うようにさらに構成され、前記１つ以上のブーストボーラスの放出ボーラスの酸素富化ガスの合計量は、（１）前記入力インターフェースにおいて設定されるような前記酸素濃縮器装置の連続流量設定を満たす相当量に（２）酸素富化ガスの追加量を加算したものを含む、
酸素濃縮器装置。
（請求項７６）
前記コントローラは、所定の時間の後または前記酸素濃縮器の前記入力インターフェースからのさらなる信号装置の受信に応答して前記酸素富化ガスの追加量の放出を中止するように構成される、請求項７５に記載の呼吸治療装置。